(57)【特許請求の範囲】
【請求項１】
陸地に配置されるエダクタ本体を備え、
前記エダクタ本体は、内部にノズルが設けられ、駆動水が流入する駆動水流入部と、前記駆動水の流入に伴って内部に吸入水が流入する吸入水流入部と、内部で前記駆動水と前記吸入水とが混合する混合部と、前記駆動水と前記吸入水とを外部に排出する排水部と、を有し、
前記駆動水流入部、前記排水部及び前記吸入水流入部は、それぞれの端部に、柔軟性を有するホースを着脱可能なホース取付け部を含み、
前記駆動水流入部には、一端部が給排水用ポンプ装置に取り付けられる駆動水用ホースが取り付けられ、
前記吸入水流入部には、一端部が一定量の水が溜まっている領域に沈められる吸入水用ホースが取り付けられ、
前記排水部には、一端部が前記一定量の水が溜まっている領域と離間して存在する領域に配置される排水用ホースが取り付けられるエダクタ。
【請求項２】
前記吸入水流入部の流路と前記排水部の流路とが、略一直線上に設けられ、
前記駆動水流入部の開口方向と前記排水部の開口方向とが、略同一である、請求項１に記載のエダクタ。
【請求項３】
前記吸入水流入部は、その外周面がサクションストレーナとして構成されている、請求項１又は２に記載のエダクタ。
【請求項４】
前記吸入水流入部に取付けられた前記ホースの端部には、サクションストレーナが設けられている、請求項３に記載のエダクタ。
【請求項５】
前記エダクタ本体を持ち運ぶための持ち手部が設けられ、
前記駆動水流入部は、前記混合部から突出して設けられ、
前記持ち手部は、平面視で、前記駆動水流入部における前記混合部に対する突出方向と対向する方向に突出して、前記エダクタ本体に設けられている、請求項１〜４の何れかに記載のエダクタ。
【請求項６】
前記エダクタ本体を吊り上げるための吊り上げ用係止部が設けられ、
前記吊り上げ用係止部は、前記エダクタ本体に、前記エダクタ本体が延びる方向に間隔を置いて一対設けられている、請求項１〜５の何れかに記載のエダクタ。
【発明の詳細な説明】
【技術分野】
【０００１】
本発明は、駆動流体の流れを利用して被駆動流体を吸引するエダクタに関するものである。
【背景技術】
【０００２】
従来から、ビルジと呼ばれる船底に溜まっている不要液体やバラスト水の排出、燃焼ガスの排出等を行うための器具として、エダクタが広く用いられてきた。
【０００３】
エダクタは、通常、互いに連通し、流体を吸い上げる吸引部を二つ有しており、一方の吸引部には、内部にノズルが設けられている。
そして、一方の吸引部に、ポンプから導かれた駆動流体が流れ込むと、ノズルによりエダクタ内部に流体が高速で噴出される。この際、ベルヌーイの定理により他方の吸引部が低圧となり、外部との圧力差でもって、他方の吸引部に流体が吸引される。
【０００４】
このように、エダクタは、簡易な構造であり、それ自体に電気的な駆動部が設けられていないことから、一般的な電気駆動の真空ポンプ等と比較して、耐久性や安全性に優れている。
【０００５】
このようなエダクタに関する発明が種々提案されており、例えば、特許文献１には、ノズルからディフューザ内に噴出した高圧流体の噴流を、ディフューザの狭窄部内面に適確に接触せしめ、吸引室内を負圧状態となし、所期の吸引能力を安定して確実に発揮させることを目的としたエダクタに関する発明が記載されている。
【０００６】
また、特許文献２には、航空機の２つのタンク間で燃料を移送する、またはエンジンに燃料を供給するために用いられる、ストレーナを備えたエダクタに関する発明が記載されている。
【先行技術文献】
【特許文献】
【０００７】
【特許文献１】特開２００６−１７００５１号公報
【特許文献２】特開２０１７−１９０６８２号公報
【発明の概要】
【発明が解決しようとする課題】
【０００８】
しかしながら、特許文献１に記載のエダクタは、吸引口及び排水口それぞれに、端部のフランジを介して、剛性のある配管を接続する構成である。また、特許文献２に記載のエダクタは、配管についての記載がないものの、吸引口及び排水口それぞれの端部にフランジが設けられており、特許文献１と同様、剛性のある配管の接続を前提としている構成である。
【０００９】
即ち、特許文献１及び特許文献２、何れに記載のエダクタも、剛性のある配管の接続により、その使用場所が制限されるばかりか、取り回しも困難となり、使い勝手が悪い、という問題があった。
【００１０】
本発明は上記のような実状に鑑みてなされたものであり、様々な使用環境に柔軟に対応でき、使い勝手を向上させたエダクタを提供することを課題とする。
【課題を解決するための手段】
【００１１】
上記課題を解決するために、本発明は、エダクタ本体を備え、
前記エダクタ本体は、内部にノズルが設けられ、駆動水が流入する駆動水流入部と、前記駆動水の流入に伴って内部に吸入水が流入する吸入水流入部と、内部で前記駆動水と前記吸入水とが混合する混合部と、前記駆動水と前記吸入水とを外部に排出する排水部と、を有し、
前記駆動水流入部及び前記排水部は、その端部に、柔軟性を有するホースを着脱可能なホース取付け部を含む。
【００１２】
本発明によれば、駆動水流入部及び排水部が、その端部に、柔軟性を有するホースＨを着脱可能なホース取付け部を含むことで、使用時のエダクタの取り回しが容易となり、流体を吸引する領域及び排出する領域を、使用環境等に合わせて柔軟に選択できるため、使い勝手が向上する。
【００１３】
本発明の好ましい形態では、前記吸入水流入部の流路と前記排水部の流路とが、略一直線上に設けられ、前記駆動水流入部の開口方向と前記排水部の開口方向とが、略同一である。
【００１４】
このような構成とすることで、吸入水流入部の流路と排水部の流路とが、略一直線上に設けられ、駆動水流入部の開口方向と排水部の開口方向とが、略同一であることで、排出される駆動水及び吸入水の流れが安定し、排水部に取付けられた排水用ホースが暴れることがなくなるため、安定した排水作業を行うことが可能となる。
【００１５】
本発明の好ましい形態では、前記吸入水流入部は、その外周面がサクションストレーナとして構成されている。
【００１６】
このような構成とすることで、吸入水流入部が、その外周面がサクションストレーナとして構成されていることで、吸入水に含まれるゴミが混合部や排水部に流入することを防止し、エダクタやホースの詰まりを防止することが可能となる。
【００１７】
本発明の好ましい形態では、前記吸入水流入部は、その端部に、前記ホースを着脱可能なホース取付け部を含む。
【００１８】
このような構成とすることで、本エダクタを水中に沈めることなく排水作業を行うことが可能となる。
これにより、本エダクタを吸入対象となる所定の領域に運搬する作業が不要となり、使い勝手が向上する。
【００１９】
本発明の好ましい形態では、前記吸入水流入部に取付けられた前記ホースの端部には、サクションストレーナが設けられている。
【００２０】
このような構成とすることで、吸入水に含まれるゴミが混合部や排水部に流入することを防止し、エダクタやホースの詰まりを防止することが可能となる。
【００２１】
本発明の好ましい形態では、前記エダクタ本体を持ち運ぶための持ち手部が設けられている。
【００２２】
このような構成とすることで、エダクタ本体の、吸入対象となる所定の領域への運搬作業が容易となり、使い勝手が向上する。
【００２３】
本発明の好ましい形態では、前記エダクタ本体を吊り上げるための吊り上げ用係止部が設けられている。
【００２４】
このような構成とすることで、別途吊り上げ用の工具やクレーン車等の作業機械を用いて、人力では運搬できない箇所に対して、エダクタ本体の運搬、回収作業を行うことができ、使い勝手が向上する。
【発明の効果】
【００２５】
本発明によれば、様々な使用環境に柔軟に対応でき、使い勝手を向上させたエダクタを提供することができる。
【図面の簡単な説明】
【００２６】
【図１】本発明の実施形態１に係るエダクタを示す概略斜視図である。
【図２】本発明の実施形態１に係るエダクタを示すＰＰ´線断面図である。
【図３】本発明の実施形態１に係るエダクタを示す図であって、（ａ）正面図、（ｂ）平面図である。
【図４】本発明の実施形態１に係るエダクタの使用状態を示す図である。
【図５】本発明の実施形態２に係るエダクタを示す概略斜視図である。
【図６】本発明の実施形態２に係るエダクタを示すＱＱ´線断面図である。
【図７】本発明の実施形態２に係るエダクタを示す図であって、（ａ）正面図、（ｂ）平面図である。
【図８】本発明の実施形態２に係るエダクタにおいて、エダクタ本体の駆動水流入部にホースを取付けた状態を示す平面図である。
【図９】本発明の実施形態２に係るエダクタの使用状態を示す図である。
【発明を実施するための形態】
【００２７】
以下、図１〜図９を用いて、本発明の実施形態に係るエダクタについて説明する。
なお、以下に示す各実施形態は本発明の一例であり、本発明を以下の各実施形態に限定するものではない。
【００２８】
＜実施形態１＞
以下、図１〜図４を用いて、本発明の実施形態１に係るエダクタについて説明する。
なお、これらの図において、符号１は本実施形態に係るエダクタを示す。また、図２において、持ち手部１ａ、吊り上げ用係止部１ｂ及び吸入水流入部Ａ２以外の部分を断面で示している。
【００２９】
図１〜図３に示すように、エダクタ１は、エダクタ本体Ａを備えている。
【００３０】
エダクタ本体Ａは、内部にノズルＮが設けられ、駆動水ｗ１が流入する駆動水流入部Ａ１と、駆動水ｗ１の流入に伴って内部に吸入水ｗ２が流入する吸入水流入部Ａ２と、内部で駆動水ｗ１と吸入水ｗ２とが混合する混合部Ａ３と、駆動水ｗ１と吸入水ｗ２とを外部に排出する排水部Ａ４と、を有している。
なお、図２において、駆動水ｗ１を点線の矢印、吸入水ｗ２を破線の矢印で示し、流路ｒ３を通過する駆動水ｗ１と吸入水ｗ２との混合水を一点鎖線の矢印で示している。
【００３１】
駆動水流入部Ａ１及び排水部Ａ４は、その端部に、柔軟性を有するホースＨ（図４参照）を着脱可能なホース取付け部Ａ１ａ、Ａ４ａを、それぞれ含む。
また、吸入水流入部Ａ２の流路ｒ２（本実施形態では図示せず）と排水部Ａ４の流路ｒ３とが、略一直線上に設けられている。
【００３２】
駆動水流入部Ａ１は、混合部Ａ３から枝分かれするように延び、排水部Ａ４に向かって湾曲形成されることで、略Ｌ字状の流路ｒ３が構成されている。
これにより、駆動水流入部Ａ１の開口方向と排水部Ａ４の開口方向とが、略同一となっている。
また、混合部Ａ３内部に設けられ、流路ｒ３の端部を構成するノズルＮは、その開口方向が排水部Ａ４の開口方向と略同一となるように構成されている。
【００３３】
吸入水流入部Ａ２は、略円筒状であり、その外周面がサクションストレーナとして構成され、混合部Ａ３における排水部Ａ４と対向する側の開口端から延設されている。
【００３４】
混合部Ａ３は、吸入水流入部Ａ２が連結され、略円筒状に構成された混合部本体Ａ３ａと、排水部Ａ４に連結され、排水部Ａ４側に向かうに伴って漸次縮径する混合部連結体Ａ３ｂと、を含む。
【００３５】
排水部Ａ４は、端部にホース取付け部Ａ４ａが設けられ、ホース取付け部Ａ４ａに向かうに伴って漸次拡径する排水部本体Ａ４ｂと、混合部連結体Ａ３ｂに連結され、略円筒状に構成された排水部連結体Ａ４ｃと、を含む。
【００３６】
エダクタ１について、さらに詳述すれば、エダクタ本体Ａを持ち運ぶための持ち手部１ａと、エダクタ本体Ａを吊り上げるための吊り上げ用係止部１ｂと、が設けられている。
【００３７】
持ち手部１ａは、混合部連結体Ａ３ｂと排水部連結体Ａ４ｃとに亘って設けられた略コ字状の第一持ち手部１ａ１と、駆動水流入部Ａ１と混合部Ａ３とに亘って設けられた略直線状の第二持ち手部１ａ２と、を含む。
【００３８】
吊り上げ用係止部１ｂは、混合部本体Ａ３ａに設けられた第一吊り上げ用係止部１ｂ１と、排水部本体Ａ４ｂに設けられた第二吊り上げ用係止部１ｂ２と、を含み、それぞれに、例えば吊り上げ用の紐状体（図示せず）等が挿通される貫通孔ｐが設けられている。
【００３９】
このように構成されたエダクタ１は、給排水用ポンプ装置ＷとホースＨと共に、図４に示すような状態で使用される。
なお、給排水用ポンプ装置Ｗは、電気駆動式の従来用いられているポンプ装置であり、排水用口Ｗ１と、給水用口Ｗ２と、を有する。
また、ホースＨは、駆動水用ホースＨ１と、給水用ホースＨ２と、排水用ホースＨ３と、を有し、それぞれの端部に、エダクタ１及び給排水用ポンプ装置Ｗとの連結のためのカプラーＣが設けられている。
【００４０】
使用態様についてさらに詳述すれば、図４に示すように、エダクタ１は、所定の池や海、河川の中等、一定量の水が溜まっている領域Ｘ１の内部に沈められる。
【００４１】
このとき、駆動水用ホースＨ１は、その一端がホース取付け部Ａ１ａを介して駆動水流入部Ａ１に連結され、その他端が排水用口Ｗ１と連結される。
【００４２】
また、このとき、給水用ホースＨ２は、その一端が領域Ｘ１の内部に沈められ、その他端が給水用口Ｗ２と連結される。
【００４３】
また、このとき、排水用ホースＨ３は、その一端がホース取付け部Ａ４ａを介して排水部Ａ４に連結され、その他端が領域Ｘ１と離間して存在する、所定の領域Ｘ２に配置される。
【００４４】
領域Ｘ２は、例えば、乾燥した平地やバケツ等容器の内部、他の池や海、河川の中等、駆動水ｗ１及び吸入水ｗ２が排出される所定の領域である。
【００４５】
領域Ｘ１及び領域Ｘ２に対して、エダクタ１、給排水用ポンプ装置Ｗ及びホースＨをこのように構成することで、まず、領域Ｘ１内部の水が、給排水用ポンプ装置Ｗにより給水用ホースＨ２を通過した後、給排水用ポンプ装置Ｗ内部及び駆動水用ホースＨ１を通過し、駆動水流入部Ａ１に駆動水ｗ１として流入する。
【００４６】
次に、駆動水ｗ１がノズルＮにより混合部Ａ３内部に高速で噴出されることで、ベルヌーイの定理により、吸入水流入部Ａ２及び混合部Ａ３内部が低圧となり、外部との圧力差でもって、領域Ｘ１内部の水が、吸入水流入部Ａ２に吸入水ｗ２として流入する。
【００４７】
そして、駆動水ｗ１及び吸入水ｗ２が、排水部Ａ４及び排水用ホースＨ３を通過し、領域Ｘ２内部に排出される。
【００４８】
本実施形態によれば、駆動水流入部Ａ１及び排水部Ａ４が、その端部に、柔軟性を有するホースＨを着脱可能なホース取付け部Ａ１ａ、Ａ４ａを含むことで、使用時のエダクタ１の取り回しが容易となり、流体を吸引する領域及び排出する領域を、使用環境等に合わせて柔軟に選択できるため、使い勝手が向上する。
【００４９】
また、吸入水流入部Ａ２の流路ｒ２と排水部Ａ４の流路ｒ３とが、略一直線上に設けられ、駆動水流入部Ａ１の開口方向と排水部Ａ４の開口方向とが、略同一であることで、排出される駆動水ｗ１及び吸入水ｗ２の流れが安定し、排水部Ａ４に取付けられた排水用ホースＨ３が暴れることがなくなるため、安定した排水作業を行うことが可能となる。
【００５０】
また、吸入水流入部Ａ２が、その外周面がサクションストレーナとして構成されていることで、吸入水ｗ２に含まれるゴミが混合部Ａ３や排水部Ａ４に流入することを防止し、エダクタ１や排水用ホースＨ３の詰まりを防止することが可能となる。
【００５１】
また、エダクタ本体Ａを持ち運ぶための持ち手部１ａが設けられていることで、エダクタ本体Ａの領域Ｘ１等への運搬作業が容易となり、使い勝手が向上する。
【００５２】
また、エダクタ本体Ａを吊り上げるための吊り上げ用係止部１ｂが設けられていることで、別途吊り上げ用の工具やクレーン車等の作業機械を用いて、人力では運搬できない箇所に対して、エダクタ本体Ａの運搬、回収作業を行うことができ、使い勝手が向上する。
【００５３】
＜実施形態２＞
以下、図５〜図９を用いて、本発明の実施形態２に係るエダクタについて説明する。
なお、同実施形態において、先の実施形態と基本的に同一の構成要素については、同一符号を付してその説明を簡略化する。また、図６において、持ち手部１ａ、吊り上げ用係止部１ｂ以外の部分を断面で示している。
【００５４】
図５に示すように、エダクタ１は、先の実施形態と同様に、エダクタ本体Ａを備えている。
【００５５】
エダクタ本体Ａは、内部にノズルＮが設けられ、駆動水ｗ１が流入する駆動水流入部Ａ１´と、駆動水ｗ１の流入に伴って内部に吸入水ｗ２が流入する吸入水流入部Ａ２´と、内部で駆動水ｗ１と吸入水ｗ２とが混合する混合部Ａ３と、駆動水ｗ１と吸入水ｗ２とを外部に排出する排水部Ａ４と、を有している。
なお、図６において、駆動水ｗ１を点線の矢印、吸入水ｗ２を破線の矢印で示し、流路ｒ３を通過する駆動水ｗ１と吸入水ｗ２との混合水を一点鎖線の矢印で示している。
【００５６】
駆動水流入部Ａ１´は、混合部Ａ３から枝分かれするように、一方向に延びて構成されている。
これにより、駆動水流入部Ａ１の開口方向と排水部Ａ４の開口方向とがなす角が、略９０度となっている。
また、混合部Ａ３内部に設けられ、流路ｒ３の端部を構成するノズルＮは、その開口方向が排水部Ａ４の開口方向と略同一となるように構成されている。
【００５７】
吸入水流入部Ａ２´は、混合部Ａ３における排水部Ａ４と対向する側の開口端から延設されている。
【００５８】
駆動水流入部Ａ１´、吸入水流入部Ａ２´及び排水部Ａ４は、その端部に、柔軟性を有するホースＨ（図４参照）を着脱可能なホース取付け部Ａ１ａ、Ａ２ａ及びＡ４ａを、それぞれ含む。
また、吸入水流入部Ａ２の流路ｒ２と排水部Ａ４の流路ｒ３とが、略一直線上に設けられている。
【００５９】
持ち手部１ａは、混合部連結体Ａ３ｂと排水部連結体Ａ４ｃとに亘って設けられた、略コ字状の第一持ち手部１ａ１を含む。
【００６０】
その他、混合部Ａ３、排水部Ａ４及び吊り上げ用係止部１ｂの構成は、先の実施形態と同様であるため、その説明を省略する。
【００６１】
本実施形態に係るエダクタ本体Ａは、図８に示すように、吸入水流入部Ａ２´に、ホース取付け部Ａ２ａを介して吸入水用ホースＨ４を取付けることができる。
【００６２】
また、吸入水用ホースＨ４の端部には、略円筒状のサクションストレーナＳが設けられている。
【００６３】
このように構成されたエダクタ１は、給排水用ポンプ装置ＷとホースＨと共に、図９に示すような状態で使用される。
なお、給排水用ポンプ装置Ｗは、先の実施形態と同様に、電気駆動式の従来用いられているポンプ装置であり、排水用口Ｗ１と、給水用口Ｗ２と、を有する。
また、ホースＨは、駆動水用ホースＨ１と、給水用ホースＨ２と、排水用ホースＨ３と、に加え、吸入水用ホースＨ４さらに有し、それぞれの端部に、エダクタ１及び給排水用ポンプ装置Ｗとの連結のためのカプラーＣが設けられている。
【００６４】
使用態様についてさらに詳述すれば、図９に示すように、エダクタ１は、給排水用ポンプ装置Ｗが設置される場所の近傍等、領域Ｘ１や領域Ｘ２とは異なる陸地に配置される。
【００６５】
このとき、駆動水用ホースＨ１、給水用ホースＨ２及びは、排水用ホースＨ３は、先の実施形態と同様の連結態様、配置態様である。
【００６６】
また、このとき、吸入水用ホースＨ４は、その一端がホース取付け部Ａ２ａを介して吸入水流入部Ａ２に連結され、その他端（サクションストレーナＳ）が領域Ｘ１の内部に沈められる。
【００６７】
領域Ｘ１及び領域Ｘ２に対して、エダクタ１、給排水用ポンプ装置Ｗ及びホースＨをこのように構成することで、先の実施形態と同様の流れで、駆動水ｗ１及び吸入水ｗ２が領域２内部に排出される。
【００６８】
本実施形態によれば、駆動水流入部Ａ１´、排水部Ａ４に加え、吸入水流入部Ａ２´の端部に、ホースＨ（吸入水用ホースＨ４）を着脱可能なホース取付け部Ａ２ａ´を含むことで、エダクタ１を水中に沈めることなく排水作業を行うことが可能となる。
これにより、エダクタ１を領域Ｘ１等に運搬する作業が不要となり、使い勝手が向上する。
【００６９】
また、吸入水用ホースＨ４の端部に、サクションストレーナＳが設けられていることで、吸入水ｗ２に含まれるゴミが混合部Ａ３や排水部Ａ４に流入することを防止し、エダクタ１や排水用ホースＨ３の詰まりを防止することが可能となる。
【００７０】
なお、上述の各実施形態において示した各構成部材の諸形状や寸法等は一例であって、設計要求等に基づき種々変更可能である。
【００７１】
また、特に実施形態２において、駆動水ｗ１及び吸入水ｗ２何れも、同一の領域Ｘ１から吸水される場合を示したが、吸入水流入部Ａ２´に吸入水用ホースＨ４が取付けられていることで、駆動水ｗ１と吸入水ｗ２とを、それぞれ異なる領域から吸水することもできる。
即ち、実施形態２に係るエダクタ１によれば、様々な使用環境に対して、実施形態１に係るエダクタ１と比較して、より柔軟に対応することが可能となる。
【符号の説明】
【００７２】
１                エダクタ
Ａ                エダクタ本体
Ａ１、Ａ１´      駆動水流入部
Ａ１ａ            ホース取付け部
Ｎ                ノズル
Ａ２、Ａ２´      吸入水流入部
Ａ２ａ            ホース取付け部
Ａ３              混合部
Ａ３ａ            混合部本体
Ａ３ｂ            混合部連結体
Ａ４              排水部
Ａ４ａ            ホース取付け部
Ａ４ｂ            排水部本体
Ａ４ｃ            排水部連結体
ｒ１、ｒ２、ｒ３  流路
ｗ１              駆動水
ｗ２              吸入水
１ａ              持ち手部
１ａ１            第一持ち手部
１ａ２            第二持ち手部
１ｂ              吊り上げ用係止部
１ｂ１            第一吊り上げ用係止部
１ｂ２            第二吊り上げ用係止部
ｐ                貫通孔
Ｓ                サクションストレーナ
Ｗ                給排水用ポンプ装置
Ｗ１              排水用口
Ｗ２              給水用口
Ｈ                ホース
Ｈ１              駆動水用ホース
Ｈ２              給水用ホース
Ｈ３              排水用ホース
Ｈ４              吸入水用ホース
Ｃ                カプラー
Ｘ１、Ｘ２        領域
【要約】
【課題】様々な使用環境に柔軟に対応でき、使い勝手を向上させたエダクタを提供する。
【解決手段】エダクタ本体Ａを備え、エダクタ本体Ａは、内部にノズルＮが設けられ、駆動水ｗ１が流入する駆動水流入部Ａ１と、駆動水ｗ１の流入に伴って内部に吸入水ｗ２が流入する吸入水流入部Ａ２と、内部で駆動水ｗ１と吸入水ｗ２とが混合する混合部Ａ３と、駆動水ｗ１と吸入水ｗ２とを外部に排出する排水部Ａ４と、を有し、駆動水流入部Ａ１及び排水部Ａ４は、その端部に、柔軟性を有するホースＨを着脱可能なホース取付け部Ａ１ａ、Ａ４ａを含む。
【選択図】図１【図１】
0006842217.tif 000002
【図２】
0006842217.tif 000003
【図３】
0006842217.tif 000004
【図４】
0006842217.tif 000005
【図５】
0006842217.tif 000006
【図６】
0006842217.tif 000007
【図７】
0006842217.tif 000008
【図８】
0006842217.tif 000009
【図９】
0006842217.tif 000010